(57)【特許請求の範囲】
【請求項１】
複数の伝送方式から一つの伝送方式を選択して通信を行う通信装置において、複数の伝送方式から信号を送信する伝送方式を選択する伝送方式決定手段と、選択した伝送方式を示す選択情報から選択した伝送方式の候補を示す範囲情報と前記範囲情報から選択した伝送方式を特定する特定情報とを作成する制御信号分割手段と、前記範囲情報が変更された場合に前記範囲情報を送信する送信手段と、を具備することを特徴とする通信装置。
【請求項２】
送信手段は、特定情報を定期的に送信することを特徴とする請求項１記載の通信装置。
【請求項３】
伝送方式決定手段は、回線状態から信号を送信する伝送方式を選択し、制御信号分割手段は、前記回線品質情報から範囲情報を作成することを特徴とする請求項１または請求項２記載の通信装置。
【請求項４】
受信信号から範囲情報と特定情報を抽出する制御信号分離手段と、抽出した範囲情報と特定情報を分離する分離手段と、範囲情報を記憶する記憶手段と、範囲情報と特定情報から伝送方式を決定し、決定した伝送方式で受信信号から受信データを復元する復元手段とを具備することを特徴とする通信装置。
【請求項５】
請求項１から請求項４のいずれかに記載の通信装置を具備することを特徴とする基地局装置。
【請求項６】
請求項１から請求項４のいずれかに記載の通信装置を具備することを特徴とする通信端末装置。
【請求項７】
複数の伝送方式から一つの伝送方式を選択して通信を行う通信方法において、送信側が、複数の伝送方式から信号を送信する伝送方式を選択し、選択した伝送方式を示す選択情報から選択した伝送方式の候補を示す範囲情報を作成し、前記範囲情報を送信し、受信側が、受信信号から範囲情報を抽出し、前記範囲情報から指定される伝送方式の中から受信信号の伝送方式を推定し、前記推定した伝送方式で受信信号を復元する伝送方式選択方法。
【請求項８】
複数の伝送方式から一つの伝送方式を選択して通信を行う通信方法において、送信側が、複数の伝送方式から信号を送信する伝送方式を選択し、選択した伝送方式を示す選択情報から選択した伝送方式の候補を示す範囲情報と、前記範囲情報から選択情報を特定する特定情報とを作成し、前記範囲情報を送信し、前記特定情報を定期的に送信し、受信信号から範囲情報と特定情報を抽出し、抽出した範囲情報と特定情報を分離し、範囲情報を記憶し、範囲情報と特定情報から伝送方式を決定し、決定した伝送方式で受信信号から受信データを復元する伝送方式選択方法。
【発明の詳細な説明】
【０００１】
【発明の属する技術分野】
本発明は、通信装置及び伝送方式選択方法に関し、特にパケット通信等の伝送効率を向上するための適応変調に用いて好適な通信装置及び伝送方式選択方法に関する。
【０００２】
【従来の技術】
近年のインターネット関連技術の発達に伴い、インターネットで音楽配信などの種々のサービスを提供できるようになってきている。このようなサービスでは、下り回線の伝送量が非常に多くなる。下り回線の伝送量が多いサービスを実現するために、下り回線における高速伝送に大きな期待が寄せられている。そして、この下り回線における高速伝送について、さまざまな技術開発が行われている。そこで、送信側で変調方式を適応的に変化させて、効率良くデータ伝送を行う適応変調通信システムが行われている。
【０００３】
従来の適応変調通信システムについて、図１０を用いて説明する。図１０は、従来の通信装置を示す図である。
【０００４】
通信装置１０は、アンテナ１１を介して無線信号を無線受信部１２で受信する。無線受信部１２では、受信信号に対して所定の無線受信処理が行われる。無線受信処理された信号は、復調部１３に出力される。そして、復調部１３では、データが復調され、受信データと、後述の図１４における受信側の受信品質推定部６１で推定した受信信号の品質の推定値に分離する。回線品質推定部１４は、分離されたうちの、受信信号の品質の推定値から回線品質を推定して伝送方式決定部１５に出力する。
【０００５】
伝送方式決定部１５は、回線品質から通信相手に送信する信号の伝送方式を決定してスイッチ１６、スイッチ１７、及び変調部１８に出力する。ここでは、伝送方式としてＢＰＳＫ（Ｂｉｎａｒｙ  Ｐｈａｓｅ  Ｓｈｉｆｔ  Ｋｅｙｉｎｇ）、ＱＰＳＫ、８ＰＳＫ、１６ＱＡＭ（ｓｉｘｔｅｅｎ  Ｑｕａｄｒａｔｕｒｅ  Ａｍｐｌｉｔｕｄｅ  Ｍｏｄｕｌａｔｉｏｎ）、６４ＱＡＭ（ｓｉｘｔｙ  ｆｏｕｒ  Ｑｕａｄｒａｔｕｒｅ  Ａｍｐｌｉｔｕｄｅ  Ｍｏｄｕｌａｔｉｏｎ）の変調方式から適切な変調方式を選択している。
【０００６】
スイッチ１６は、伝送方式決定部１５において決定した伝送方式に従って送信データをＢＰＳＫ変調部１９、ＱＰＳＫ変調部２０、８ＰＳＫ変調部２１、１６ＱＡＭ変調部２２、６４ＱＡＭ変調部２３のいずれかに出力する。
【０００７】
ＢＰＳＫ変調部１９は、送信データを１シンボルあたり１ｂｉｔ（２値）の情報とする位相変調を行いスイッチ１７に出力する。ＱＰＳＫ変調部２０は、送信データを１シンボルあたり２ｂｉｔ（４値）の情報とする位相変調を行いスイッチ１７に出力する。８ＰＳＫ変調部２１は、送信データを１シンボルあたり３ｂｉｔ（８値）の情報とする位相変調を行いスイッチ１７に出力する。
【０００８】
１６ＱＡＭ変調部２２は、送信データを１シンボルあたり４ｂｉｔ（１６値）の情報とする多値直交振幅変調を行いスイッチ１７に出力する。６４ＱＡＭ変調部２３は、送信データを１シンボルあたり６ｂｉｔ（６４値）の情報とする多値直交振幅変調を行いスイッチ１７に出力する。
【０００９】
スイッチ１７は、変調された送信データを伝送方式決定部１５において決定した伝送方式に従ってＢＰＳＫ変調部１９、ＱＰＳＫ変調部２０、８ＰＳＫ変調部２１、１６ＱＡＭ変調部２２、６４ＱＡＭ変調部２３のいずれかから多重化部２４に出力する。
【００１０】
多重化部２４は、変調された送信データと伝送方式決定部１５において決定した伝送方式の情報とを多重化して送信信号とし、無線送信部２５に出力する。無線送信部２５は、送信信号に所定の無線処理を施してアンテナ１１を介して送信する。
【００１１】
次に受信側の通信装置について説明する。図１１は、従来の通信装置を示す図である。
【００１２】
上記通信装置から送信された無線信号は、アンテナ５１を介して無線受信部５２において所定の無線処理が行われる。無線受信部５２から出力された受信信号は、制御信号分離部５３において受信信号と制御信号に分離されてスイッチ５４に出力される。ここで、制御信号は、送信側において選択された伝送方式を示す。
【００１３】
スイッチ５４は、制御信号に従ってＢＰＳＫ復調部５６、ＱＰＳＫ復調部５７、８ＰＳＫ復調部５８、１６ＱＡＭ復調部５９、または６４ＱＡＭ復調部６０のいずれかに受信信号を出力する。
【００１４】
ＢＰＳＫ復調部５６、ＱＰＳＫ復調部５７、８ＰＳＫ復調部５８、１６ＱＡＭ復調部５９、及び６４ＱＡＭ復調部６０は、それぞれ受信信号を復調し、得られた受信データをスイッチ５５に出力する。
【００１５】
スイッチ５５は、制御信号分離部５３において分離された受信データをＢＰＳＫ復調部５６、ＱＰＳＫ復調部５７、８ＰＳＫ復調部５８、１６ＱＡＭ復調部５９、及び６４ＱＡＭ復調部６０のいずれかから受信品質推定部６１と外部に出力する。
【００１６】
受信品質推定部６１は、受信データの受信品質を推定して変調部６２に出力する。変調部６２は、送信データと受信品質情報を変調して送信信号として無線送信部６３に出力する。無線送信部６３は、送信信号に所定の無線処理を行ってアンテナ５１を介して送信する。
【００１７】
次に、従来の通信装置の動作について説明する。
【００１８】
図１２は、伝送方式と制御信号の対応表を示す図である。図１２において、伝送方式と制御信号とを対応づけている。ここで、伝送方式は、変調方式を示し、制御信号は、定期的に通信相手に送信される。
【００１９】
ＢＰＳＫ変調方式で信号を送信する場合、通信装置１０は、制御信号に「０００」を用いる。また、ＱＰＳＫ変調方式で信号を送信する場合、通信装置１０は、制御信号に「００１」を用いる。また、８ＰＳＫ変調方式で信号を送信する場合、通信装置１０は、制御信号に「０１０」を用いる。また、１６ＱＡＭ変調方式で信号を送信する場合、通信装置１０は、制御信号に「０１１」を用いる。また、６４ＱＡＭ変調方式で信号を送信する場合、通信装置１０は、制御信号に「１００」を用いる。
【００２０】
図１３は、制御信号の送信例を示す図である。図１３において、横軸は、時刻を表す。また、ａ１、ａ２、ａ３、ａ４は、それぞれ伝送方式決定部１５が伝送方式を決定する場合の判断基準である。
【００２１】
ここでは、回線品質がａ１より悪い場合、通信装置１０は、ＢＰＳＫで信号を送信する。回線品質がａ１以上で、且つａ２より悪い場合、通信装置１０は、ＱＰＳＫで信号を送信する。回線品質がａ２以上で、且つａ３より悪い場合、通信装置１０は、８ＰＳＫで信号を送信する。回線品質がａ３以上で、且つａ４より悪い場合、通信装置１０は、１６ＱＡＭで信号を送信する。回線品質がａ４以上である場合、通信装置１０は、６４ＱＡＭで信号を送信する。
【００２２】
時刻ｔ１において、回線品質推定部１４が推定した回線品質は、ａ１以上で、且つａ２より悪いので、伝送方式決定部１５は、ＱＰＳＫで信号を送信することを決定し、図１２の表に従い、ＱＰＳＫに対応する制御信号「００１」を出力する。
【００２３】
時刻ｔ２において、回線品質推定部１４が推定した回線品質は、ａ１より悪いので、伝送方式決定部１５は、ＢＰＳＫで信号を送信することを決定し、図１２の表に従い、ＢＰＳＫに対応する制御信号「０００」を出力する。時刻ｔ２と同様に時刻ｔ３、ｔ４に、伝送方式決定部１５は、図１２の表に従い、ＢＰＳＫに対応する制御信号「０００」を出力する。
【００２４】
時刻ｔ１と同様に時刻ｔ５、ｔ６、ｔ７に、伝送方式決定部１５は、図１２の表に従い、ＱＰＳＫに対応する制御信号「００１」を出力する。
【００２５】
時刻ｔ８において、回線品質推定部１４が推定した回線品質は、ａ２以上で、且つａ３より悪いので、伝送方式決定部１５は、８ＰＳＫで信号を送信することを決定し、図１２の表に従い、８ＰＳＫに対応する制御信号「０１０」を出力する。時刻ｔ８と同様に時刻ｔ９、ｔ１０に、伝送方式決定部１５は、図１２の表に従い、８ＰＳＫに対応する制御信号「０１０」を出力する。
【００２６】
時刻ｔ１１において、回線品質推定部１４が推定した回線品質は、ａ３以上で、且つａ４より悪いので、伝送方式決定部１５は、１６ＱＡＭで信号を送信することを決定し、図１２の表に従い、１６ＱＡＭに対応する制御信号「０１１」を出力する。時刻ｔ１１と同様に時刻ｔ１２、ｔ１３、ｔ１４、ｔ１５に、伝送方式決定部１５は、図１２の表に従い、１６ＱＡＭに対応する制御信号「０１１」を出力する。
【００２７】
時刻ｔ１６において、回線品質推定部１４が推定した回線品質は、ａ４以上であるため、伝送方式決定部１５は、６４ＱＡＭで信号を送信することを決定し、図１２の表に従い、６４ＱＡＭに対応する制御信号「１００」を出力する。時刻ｔ１６と同様に時刻ｔ１７に、伝送方式決定部１５は、図１２の表に従い、６４ＱＡＭに対応する制御信号「１００」を出力する。
【００２８】
このように、上述した適応変調通信システムにおいては、送信側の通信装置は、変調方式を適応的に変えて送信を行う際に、変調方式の情報（多値数など）を送信信号に多重して送信を行っている。これにより、受信側の通信装置は、変調方式が適応的に変更されても、変調方式の情報にしたがって復調を行うことができる。
【００２９】
また、送信側の通信装置において、選択した伝送方式の情報を送信せず、受信側の通信装置において、伝送方式を推定して受信信号を復調する、いわゆるブラインドモードを用いる場合もある。
【００３０】
図１４は、ブラインドモードを用いる従来の通信装置の構成を示すブロック図である。但し、図１１と同一の構成となるものについては、図１１と同一番号を付し、詳しい説明を省略する。
【００３１】
図１４の通信装置は、ＢＰＳＫ判定部７０と、ＱＰＳＫ判定部７１と、８ＰＳＫ判定部７２と、１６ＱＡＭ判定部７３と、６４ＱＡＭ判定部７４と、比較部７５とを具備し、受信信号の変調方式を推定して復調する点が図１１の通信装置と異なる。
【００３２】
ＢＰＳＫ判定部７０は、受信信号のシンボルパターンの位相分布または振幅分布を求め、これらの分布がＢＰＳＫシンボルパターンの分布と一致するかどうか判断し、判断結果を比較部７５に出力する。ＱＰＳＫ判定部７１は、受信信号のシンボルパターンの位相分布または振幅分布を求め、これらの分布がＱＰＳＫシンボルパターンの分布と一致するかどうか判断し、判断結果を比較部７５に出力する。８ＰＳＫ判定部７２は、受信信号のシンボルパターンの位相分布または振幅分布を求め、これらの分布が８ＰＳＫシンボルパターンの分布と一致するかどうか判断し、判断結果を比較部７５に出力する。
【００３３】
１６ＱＡＭ判定部７３は、受信信号のシンボルパターンの位相分布または振幅分布を求め、これらの分布が１６ＱＡＭシンボルパターンの分布と一致するかどうか判断し、判断結果を比較部７５に出力する。６４ＱＡＭ判定部７４は、受信信号のシンボルパターンの位相分布または振幅分布を求め、これらの分布が６４ＱＡＭシンボルパターンの分布と一致するかどうか判断し、判断結果を比較部７５に出力する。
【００３４】
比較部７５は、ＢＰＳＫ判定部７０、ＱＰＳＫ判定部７１、８ＰＳＫ判定部７２、１６ＱＡＭ判定部７３、及び６４ＱＡＭ判定部７４から出力された判断結果を比較して、受信信号シンボルパターンの分布が各変調方式のシンボルパターンと最も一致する結果から変調方式を推定する。そして、比較部７５は、変調方式の推定結果からスイッチ５４と、スイッチ５５の切り替えを行う。
【００３５】
【発明が解決しようとする課題】
しかしながら、従来の装置においては、選択しうる全ての伝送方式から信号を送信する伝送方式を選択した情報を通信相手に送信するので、選択した伝送方式の情報の種類が多く、この選択した伝送方式の情報を区別するためにデータ量が多くなる、さらに伝送単位毎に送信するのでデータ量が多くなるという問題がある。
【００３６】
また、受信側において伝送方式を推定して受信処理を行うブラインドモードでは、推定する伝送方式の候補数が多いことから、推定に必要な演算が多くなる、または推定を誤る率が高くなる問題がある。
【００３７】
本発明はかかる点に鑑みてなされたものであり、複数の伝送方式から選択する通信方式において、伝送方式の指示を行う制御信号の通信量を低減する通信装置及び伝送方式選択方法を提供することを目的とする。
【００３８】
また、ブラインドモードにおいて、推定に必要な演算が少ない、または推定が誤る率が低い通信装置及び伝送方式選択方法を提供することを目的とする。
【００３９】
【課題を解決するための手段】
本発明の通信装置は、複数の伝送方式から一つの伝送方式を選択して通信を行う通信装置において、複数の伝送方式から信号を送信する伝送方式を選択する伝送方式決定手段と、選択した伝送方式を示す選択情報から選択した伝送方式の候補を示す範囲情報と前記範囲情報から選択した伝送方式を特定する特定情報とを作成する制御信号分割手段と、前記範囲情報が変更された場合に前記範囲情報を送信する送信手段と、を具備する構成を採る。
【００４１】
この構成によれば、伝送方式が含まれるグループ情報を受信して、グループ情報から示される複数の伝送方式についてのみシンボルパターンと受信信号のシンボルパターンを比較して伝送方式を推定することにより、推定する伝送方式の候補が少なくなるので、推定が誤る可能性が低減される。また、推定に必要な演算量を減少させることもできる。
【００４２】
本発明の通信装置は、送信手段は、特定情報を定期的に送信する構成を採る。
【００４３】
本発明の通信装置は、伝送方式決定手段は、回線状態から信号を送信する伝送方式を選択し、制御信号分割手段は、前記回線品質情報から範囲情報を作成する構成を採る。
【００４４】
これらの構成によれば、伝送方式を複数のグループに分け、選択した伝送方式がどのグループ情報に含まれるかを判断し、グループ情報が変更する場合にグループ情報を送信し、グループの中から伝送方式を特定する情報を定期的に送信することにより、定期的に送信する制御信号のサイズを小さくすることができ、伝送方式の指示を行う制御信号の通信量を低減することができる。
【００４５】
本発明の通信装置は、受信信号から範囲情報と特定情報を抽出する制御信号分離手段と、抽出した範囲情報と特定情報を分離する分離手段と、範囲情報を記憶する記憶手段と、範囲情報と特定情報から伝送方式を決定し、決定した伝送方式で受信信号から受信データを復元する復元手段とを具備する構成を採る。
【００４６】
この構成によれば、伝送方式が含まれるグループ情報とグループの中から伝送方式を特定する情報とを受信して、グループ情報と特定する情報から伝送方式を特定することにより、定期的に送信する制御信号のサイズを小さくすることができ、伝送方式の指示を行う制御信号の通信量を低減することができる。
【００４９】
本発明の基地局装置は、上記の通信装置を具備する構成を採る。本発明の通信端末装置は、上記の通信装置を具備する構成を採る。
【００５０】
これらの構成によれば、伝送方式が含まれるグループ情報を受信して、グループ情報から示される複数の伝送方式についてのみシンボルパターンと受信信号のシンボルパターンを比較して伝送方式を推定することにより、推定する伝送方式の候補が少なくなるので、推定が誤る可能性が低減される。また、推定に必要な演算量を減少させることもできる。
【００５１】
また、これらの構成によれば、伝送方式を複数のグループに分け、選択した伝送方式がどのグループ情報に含まれるかを判断し、グループ情報が変更する場合にグループ情報を送信し、グループの中から伝送方式を特定する情報を定期的に送信することにより、定期的に送信する制御信号のサイズを小さくすることができ、伝送方式の指示を行う制御信号の通信量を低減することができる。
【００５２】
本発明の伝送方式選択方法は、複数の伝送方式から一つの伝送方式を選択して通信を行う通信方法において、送信側が、複数の伝送方式から信号を送信する伝送方式を選択し、選択した伝送方式を示す選択情報から選択した伝送方式の候補を示す範囲情報を作成し、前記範囲情報を送信し、受信側が、受信信号から範囲情報を抽出し、前記範囲情報から指定される伝送方式の中から受信信号の伝送方式を推定し、前記推定した伝送方式で受信信号を復元するようにした。
【００５３】
この方法によれば、伝送方式が含まれるグループ情報を受信して、グループ情報から示される複数の伝送方式についてのみシンボルパターンと受信信号のシンボルパターンを比較して伝送方式を推定することにより、推定する伝送方式の候補が少なくなるので、推定が誤る可能性が低減される。また、推定に必要な演算量を減少させることもできる。
【００５４】
本発明の伝送方式選択方法は、複数の伝送方式から一つの伝送方式を選択して通信を行う通信方法において、送信側が、複数の伝送方式から信号を送信する伝送方式を選択し、選択した伝送方式を示す選択情報から選択した伝送方式の候補を示す範囲情報と、前記範囲情報から選択情報を特定する特定情報とを作成し、前記範囲情報を送信し、前記特定情報を定期的に送信し、受信信号から範囲情報と特定情報を抽出し、抽出した範囲情報と特定情報を分離し、範囲情報を記憶し、範囲情報と特定情報から伝送方式を決定し、決定した伝送方式で受信信号から受信データを復元するようにした。
【００５５】
この方法によれば、伝送方式を複数のグループに分け、選択した伝送方式がどのグループ情報に含まれるかを判断し、グループ情報が変更する場合にグループ情報を送信し、グループの中から伝送方式を特定する情報を定期的に送信することにより、定期的に送信する制御信号のサイズを小さくすることができ、伝送方式の指示を行う制御信号の通信量を低減することができる。
【００５６】
【発明の実施の形態】
本発明の骨子は、伝送方式を伝送単位で適応的に変更する通信装置において、選択した伝送方式の情報を大枠の情報と細かい情報に分割し、大枠の情報を必要な時のみ送信することである。
【００５７】
すなわち、伝送方式を伝送単位で適応的に変更する通信装置において、伝送方式を複数のグループに分け、選択した伝送方式がどのグループ情報に含まれるかを判断し、グループ情報が変更する場合にグループ情報を送信し、グループの中から伝送方式を特定する情報を定期的に送信することである。
【００５８】
（実施の形態１）
図１は、本発明の実施の形態１に係る通信装置の構成を示すブロック図である。
【００５９】
図１において、通信端末１００は、アンテナ１０１と、無線受信部１０２と、復調部１０３と、回線品質推定部１０４と、伝送方式決定部１０５と、スイッチ１０６と、スイッチ１０７と、制御信号分割部１０８と、ＢＰＳＫ変調部１０９と、ＱＰＳＫ変調部１１０と、８ＰＳＫ変調部１１１と、１６ＱＡＭ変調部１１２と、６４ＱＡＭ変調部１１３と、変調部１１４と、多重化部１１５と、無線送信部１１６とから主に構成される。
【００６０】
無線受信部１０２は、アンテナ１０１を介して無線信号を受信し、所定の無線受信処理を行って受信信号を復調部１０３に出力する。復調部１０３は、受信信号を復調して、受信データと、後述の図４における受信側の受信品質推定部１６３で推定した受信信号の品質の推定値に分離し、回線品質推定部１０４と外部に出力する。回線品質推定部１０４は、分離されたうちの、受信信号の品質の推定値から回線品質を推定して伝送方式決定部１０５と制御信号分割部１０８に出力する。
【００６１】
伝送方式決定部１０５は、回線状態から通信相手に送信する信号の伝送方式を決定してスイッチ１０６、スイッチ１０７、及び制御信号分割部１０８に出力する。ここでは、伝送方式としてＢＰＳＫ、ＱＰＳＫ、８ＰＳＫ、１６ＱＡＭ、６４ＱＡＭの変調方式から適切な変調方式を選択している。
【００６２】
ここで、回線状態とは、回線品質、送信電力制御の情報、再送要求の頻度情報、受信信号の遅延プロファイル等、通信回線の状態を示すものである。
【００６３】
スイッチ１０６は、伝送方式決定部１０５において決定した伝送方式に従って送信データをＢＰＳＫ変調部１０９、ＱＰＳＫ変調部１１０、８ＰＳＫ変調部１１１、１６ＱＡＭ変調部１１２、６４ＱＡＭ変調部１１３のいずれかに出力する。
【００６４】
ＢＰＳＫ変調部１０９は、送信データを１シンボルあたり１ｂｉｔ（２値）の情報とする位相変調を行いスイッチ１０７に出力する。ＱＰＳＫ変調部１１０は、送信データを１シンボルあたり２ｂｉｔ（４値）の情報とする位相変調を行いスイッチ１０７に出力する。８ＰＳＫ変調部１１１は、送信データを１シンボルあたり３ｂｉｔ（８値）の情報とする位相変調を行いスイッチ１０７に出力する。
【００６５】
１６ＱＡＭ変調部１１２は、送信データを１シンボルあたり４ｂｉｔ（１６値）の情報とする多値直交振幅変調を行いスイッチ１０７に出力する。６４ＱＡＭ変調部１１３は、送信データを１シンボルあたり６ｂｉｔ（６４値）の情報とする多値直交振幅変調を行いスイッチ１０７に出力する。
【００６６】
スイッチ１０７は、伝送方式決定部１０５において決定した伝送方式に従って変調された送信データをＢＰＳＫ変調部１０９、ＱＰＳＫ変調部１１０、８ＰＳＫ変調部１１１、１６ＱＡＭ変調部１１２、６４ＱＡＭ変調部１１３のいずれかから多重化部１１５に出力する。
【００６７】
制御信号分割部１０８は、伝送方式の情報を定期的に送信する高速制御信号と必要に応じて非定期的に送信する低速制御信号とに分割して変調部１１４に出力する。また、制御信号分割部１０８は、通信品質の傾向から出力する低速制御信号と高速制御信号の組み合わせを決定して変調部１１４に出力する。制御信号分割部１０８の詳細な動作は後述する。
【００６８】
変調部１１４は、高速制御信号と低速制御信号を変調して多重化部１１５に出力する。
【００６９】
多重化部１１５は、変調された送信データと高速制御信号と低速制御信号とを多重化して送信信号とし、無線送信部１１６に出力する。無線送信部１１６は、送信信号に所定の無線処理を施してアンテナ１０１を介して送信する。
【００７０】
次に、本実施の形態に係る通信装置１００の動作について説明する。図２は、伝送方式と制御信号の対応表を示す図である。図２において、伝送方式と２つの制御信号とを対応づけている。ここで、伝送方式は、変調方式を示し、２つの制御信号は、定期的に送信する高速制御信号と、必要に応じて非定期的に送信する低速制御信号とを示す。
【００７１】
ＢＰＳＫ変調方式で信号を送信する場合、低速制御信号に「００」、高速制御信号に「０」を用いる。また、ＱＰＳＫ変調方式で信号を送信する場合、低速制御信号に「００」、高速制御信号に「１」、または低速制御信号に「０１」、高速制御信号に「０」を用いる。同様に、８ＰＳＫ、１６ＱＡＭ、６４ＱＡＭの各変調方式で信号を送信する場合も図２の表に従って、低速制御信号と高速制御信号を用いる。
【００７２】
図３は、制御信号の送信例を示す図である。図３において、横軸は、時刻を表す。また、ａ１、ａ２、ａ３、ａ４は、それぞれ伝送方式決定部１０５が信号を送信する伝送方式を決定する場合の判断基準である。
【００７３】
ここでは、回線品質がａ１より悪い場合、通信装置１００は、ＢＰＳＫで信号を送信する。回線品質がａ１以上で、且つａ２より悪い場合、通信装置１００は、ＱＰＳＫで信号を送信する。回線品質がａ２以上で、且つａ３より悪い場合、通信装置１００は、８ＰＳＫで信号を送信する。回線品質がａ３以上で、且つａ４より悪い場合、通信装置１００は、１６ＱＡＭで信号を送信する。回線品質がａ４以上である場合、通信装置１００は、６４ＱＡＭで信号を送信する。
【００７４】
時刻ｔ１において、回線品質推定部１０４が推定した回線品質は、ａ１以上で、且つａ２より悪いので、伝送方式決定部１０５は、ＱＰＳＫで信号を送信することを決定する。制御信号分割部１０８は、図２の表に従い、ＱＰＳＫに対応する低速制御信号「００」と高速制御信号「１」を出力する。
【００７５】
時刻ｔ２において、回線品質推定部１０４が推定した回線品質は、ａ１より悪いので、伝送方式決定部１０５は、ＢＰＳＫで信号を送信することを決定する。制御信号分割部１０８は、図２の表に従い、ＢＰＳＫに対応する低速制御信号「００」と高速制御信号「０」を出力する。
【００７６】
時刻ｔ２と同様に時刻ｔ３、ｔ４において、制御信号分割部１０８は、図２の表に従い、ＢＰＳＫに対応する低速制御信号「００」と高速制御信号「０」を出力する。
【００７７】
時刻ｔ５において、回線品質推定部１０４が推定した回線品質は、ａ１以上で、且つａ２より悪いので、伝送方式決定部１０５は、ＱＰＳＫで信号を送信することを決定する。制御信号分割部１０８は、図２の表に従い、ＱＰＳＫに対応する低速制御信号「００」と高速制御信号「１」を出力する。
【００７８】
時刻ｔ５と同様に時刻ｔ６において、制御信号分割部１０８は、図２の表に従い、ＱＰＳＫに対応する低速制御信号「００」と高速制御信号「１」を出力する。
【００７９】
時刻ｔ７において、回線品質推定部１０４が推定した回線品質は、ａ１以上で、且つａ２より悪いので、伝送方式決定部１０５は、ＱＰＳＫで信号を送信することを決定する。制御信号分割部１０８は、回線品質が良くなり、変調方式をＱＰＳＫからＢＳＰＫに変更する確率より、ＱＰＳＫから８ＰＳＫに変更する確率が高いと判断する。そして、制御信号分割部１０８は、図２の表に従い、ＱＰＳＫ及び８ＰＳＫに対応する低速制御信号「０１」とＱＰＳＫに対応する高速制御信号「０」を出力する。
【００８０】
時刻ｔ８において、回線品質推定部１０４が推定した回線品質は、ａ２以上で、且つａ３より悪いので、伝送方式決定部１０５は、８ＰＳＫで信号を送信することを決定する。制御信号分割部１０８は、図２の表に従い、８ＰＳＫに対応する低速制御信号「０１」と高速制御信号「１」を出力する。
【００８１】
時刻ｔ８と同様に時刻ｔ９において、制御信号分割部１０８は、図２の表に従い、８ＰＳＫに対応する低速制御信号「０１」と高速制御信号「１」を出力する。
【００８２】
時刻ｔ１０において、回線品質推定部１０４が推定した回線品質は、ａ２以上で、且つａ３より悪いので、伝送方式決定部１０５は、８ＰＳＫで信号を送信することを決定する。制御信号分割部１０８は、回線品質が良くなり、変調方式を８ＰＳＫからＱＳＰＫに変更する確率より、８ＰＳＫから１６ＱＡＭに変更する確率が高いと判断する。そして、制御信号分割部１０８は、図２の表に従い、８ＰＳＫ及び１６ＱＡＭに対応する低速制御信号「１０」と８ＰＳＫに対応する高速制御信号「０」を出力する。
【００８３】
時刻ｔ１１において、回線品質推定部１０４が推定した回線品質は、ａ３以上で、且つａ４より悪いので、伝送方式決定部１０５は、１６ＱＡＭで信号を送信することを決定する。制御信号分割部１０８は、図２の表に従い、１６ＱＡＭに対応する低速制御信号「１０」と高速制御信号「１」を出力する。
【００８４】
時刻ｔ１１と同様に時刻ｔ１２、ｔ１３において、制御信号分割部１０８は、図２の表に従い、１６ＱＡＭに対応する低速制御信号「１０」と高速制御信号「１」を出力する。
【００８５】
時刻ｔ１４において、回線品質推定部１０４が推定した回線品質は、ａ３以上で、且つａ４より悪いので、伝送方式決定部１０５は、１６ＱＡＭで信号を送信することを決定する。制御信号分割部１０８は、回線品質が良くなり、変調方式を１６ＱＡＭから８ＳＰＫに変更する確率より、１６ＱＡＭから６４ＱＡＭに変更する確率が高いと判断する。そして、制御信号分割部１０８は、図２の表に従い、１６ＱＡＭ及び６４ＱＡＭに対応する低速制御信号「１１」と１６ＱＡＭに対応する高速制御信号「０」を出力する。
【００８６】
時刻ｔ１４と同様に時刻ｔ１５において、制御信号分割部１０８は、図２の表に従い、１６ＱＡＭに対応する低速制御信号「１１」と高速制御信号「０」を出力する。
【００８７】
時刻ｔ１６において、回線品質推定部１０４が推定した回線品質は、ａ４以上なので、伝送方式決定部１０５は、６４ＱＡＭで信号を送信することを決定する。制御信号分割部１０８は、図２の表に従い、６４ＱＡＭに対応する低速制御信号「１１」と高速制御信号「１」を出力する。
【００８８】
時刻ｔ１６と同様に時刻ｔ１７において、制御信号分割部１０８は、図２の表に従い、６４ＱＡＭに対応する低速制御信号「１１」と高速制御信号「１」を出力する。
【００８９】
このように、本実施の形態の通信装置によれば、伝送方式を複数のグループに分け、選択した伝送方式がどのグループ情報に含まれるかを判断し、グループ情報が変更する場合にグループ情報を送信し、グループの中から伝送方式を特定する情報を定期的に送信することにより、定期的に送信する制御信号のサイズを小さくすることができ、伝送方式の指示を行う制御信号の通信量を低減することができる。
【００９０】
次に、通信装置１００から送信された信号を受信する通信装置について説明する。図４は、上記実施の形態に係る通信装置の構成を示すブロック図である。
【００９１】
図４において、通信装置１５０は、アンテナ１５１と、無線受信部１５２と、制御信号分離部１５３と、高速／低速分離部１５４と、スイッチ１５５と、記憶部１５６と、加算部１５７と、スイッチ１５８と、ＢＰＳＫ復調部１５９と、ＱＰＳＫ復調部１６０と、８ＰＳＫ復調部１６１と、１６ＱＡＭ復調部１６２と、６４ＱＡＭ復調部１６３と、受信品質推定部１６４と、変調部１６５と、無線送信部１６６とから主に構成される。
【００９２】
無線受信部１５２は、アンテナを介して無線信号を受信し、所定の無線処理を行い、得られた受信信号を制御信号分離部１５３に出力する。
【００９３】
制御信号分離部１５３は、受信信号から制御信号を取り出して高速／低速分離部１５４に出力する。また、制御信号分離部１５３は、受信信号をスイッチ１５５に出力する。
【００９４】
高速／低速分離部１５４は、制御信号を高速制御信号と低速制御信号に分離して低速制御信号を記憶部１５６に出力し、高速信号を加算部１５７に出力する。記憶部１５６は、低速制御信号を記憶し、加算部１５７に出力する。また、記憶部１５６は、新たに低速制御信号が入力された場合、記憶内容に反映させて、加算部１５７に出力する。
【００９５】
加算部１５７は、低速制御信号と高速制御信号を合成して伝送方式の選択情報を作成し、スイッチ１５５とスイッチ１５８に出力する。例えば、加算部１５７は、低速制御信号と高速制御信号を加算して伝送方式の選択情報を作成する。スイッチ１５５は、加算部１５７において作成された伝送方式の選択情報に従って送信データをＢＰＳＫ復調部１５９、ＱＰＳＫ復調部１６０、８ＰＳＫ復調部１６１、１６ＱＡＭ復調部１６２、６４ＱＡＭ復調部１６３のいずれかに出力する。
【００９６】
ＢＰＳＫ復調部１５９は、受信信号をＢＰＳＫ方式で復調してスイッチ１５８に出力する。ＱＰＳＫ復調部１６０は、受信信号をＱＰＳＫ方式で復調してスイッチ１５８に出力する。８ＰＳＫ復調部１６１は、受信信号を８ＰＳＫ方式で復調してスイッチ１５８に出力する。１６ＱＡＭ復調部１６２は、受信信号を１６ＱＡＭ方式で復調してスイッチ１５８に出力する。６４ＱＡＭ復調部１６３は、受信信号を６４ＱＡＭ方式で復調してスイッチ１５８に出力する。
【００９７】
スイッチ１５８は、ＢＰＳＫ復調部１５９、ＱＰＳＫ復調部１６０、８ＰＳＫ復調部１６１、１６ＱＡＭ復調部１６２、及び６４ＱＡＭ復調部１６３のいずれかから出力された信号を加算部１５７において作成された伝送方式の選択情報に従って選択し、受信品質推定部１６４と外部に出力する。
【００９８】
受信品質推定部１６４は、受信データの受信品質を推定して変調部１６５に出力する。変調部１６５は、送信データと受信品質情報を変調して送信信号として無線送信部１６６に出力する。無線送信部１６６は、送信信号に所定の無線処理を行ってアンテナ１５１を介して送信する。
【００９９】
このように、本実施の形態の通信装置によれば、伝送方式が含まれるグループ情報とグループの中から伝送方式を特定する情報とを受信して、グループ情報と特定する情報から伝送方式を特定することにより、定期的に送信する制御信号のサイズを小さくすることができ、伝送方式の指示を行う制御信号の通信量を低減することができる。
【０１００】
なお、本実施の形態の通信装置１００は、低速制御信号を送信するタイミングを、受信信号の通信品質からあらかじめ伝送方式の変更を予測しているが、これに限らず、伝送方式の変更と共に行うこともできる。
【０１０１】
また、低速制御信号と高速制御信号の組み合わせは特に限定されない。以下に、低速制御信号と高速制御信号の組み合わせの一例を示す。
【０１０２】
図５は、伝送方式と制御信号の対応表を示す図である。図５において、伝送方式と２つの制御信号とを対応づけている。ここで、伝送方式は、変調方式を示し、２つの制御信号は、定期的に送信する高速制御信号と、必要に応じて非定期的に送信する低速制御信号とを示す。
【０１０３】
ＢＰＳＫ変調方式で信号を送信する場合、低速制御信号に「０」、高速制御信号に「００」を用いる。また、ＱＰＳＫ変調方式で信号を送信する場合、低速制御信号に「０」、高速制御信号に「０１」、または低速制御信号に「１」、高速制御信号に「００」を用いる。同様に、８ＰＳＫ、１６ＱＡＭ、６４ＱＡＭの各変調方式で信号を送信する場合も図５の表に従って、低速制御信号と高速制御信号を用いる。
【０１０４】
上記２つの制御信号を用いた場合の通信装置１００の動作を説明する。図６は、制御信号の送信例を示す図である。図６において、横軸は、時刻を表す。また、ａ１、ａ２、ａ３、ａ４は、それぞれ伝送方式決定部１０５が信号を送信する伝送方式を決定する場合の判断基準である。回線品質から変調方式を判断する動作は、上記実施の形態の動作と同じである。
【０１０５】
時刻ｔ１において、回線品質推定部１０４が推定した回線品質は、ａ１以上で、且つａ２より悪いので、伝送方式決定部１０５は、ＱＰＳＫで信号を送信することを決定する。制御信号分割部１０８は、図５の表に従い、ＱＰＳＫに対応する低速制御信号「０」と高速制御信号「０１」を出力する。
【０１０６】
時刻ｔ２において、回線品質推定部１０４が推定した回線品質は、ａ１より悪いので、伝送方式決定部１０５は、ＢＰＳＫで信号を送信することを決定する。制御信号分割部１０８は、図５の表に従い、ＢＰＳＫに対応する低速制御信号「０」と高速制御信号「００」を出力する。
【０１０７】
時刻ｔ２と同様に時刻ｔ３、ｔ４において、制御信号分割部１０８は、図５の表に従い、ＢＰＳＫに対応する低速制御信号「０」と高速制御信号「００」を出力する。
【０１０８】
時刻ｔ１と同様に時刻ｔ５、ｔ６、ｔ７において、制御信号分割部１０８は、図５の表に従い、ＱＰＳＫに対応する低速制御信号「０」と高速制御信号「０１」を出力する。
【０１０９】
時刻ｔ８において、回線品質推定部１０４が推定した回線品質は、ａ２以上で、且つａ３より悪いので、伝送方式決定部１０５は、８ＰＳＫで信号を送信することを決定する。制御信号分割部１０８は、図５の表に従い、８ＰＳＫに対応する低速制御信号「０」と高速制御信号「１０」を出力する。
【０１１０】
時刻ｔ８と同様に時刻ｔ９において、制御信号分割部１０８は、図５の表に従い、８ＰＳＫに対応する低速制御信号「０」と高速制御信号「１０」を出力する。
【０１１１】
時刻ｔ１０において、回線品質推定部１０４が推定した回線品質は、ａ２以上で、且つａ３より悪いので、伝送方式決定部１０５は、８ＰＳＫで信号を送信することを決定する。制御信号分割部１０８は、回線品質が良くなり、変調方式を８ＰＳＫからＱＳＰＫに変更する確率より、８ＰＳＫから１６ＱＡＭに変更する確率が高いと判断する。そして、制御信号分割部１０８は、図５の表に従い、ＱＰＳＫ、８ＰＳＫ、１６ＱＡＭ及び６４ＱＡＭに対応する低速制御信号「１」と８ＰＳＫに対応する高速制御信号「０１」を出力する。
【０１１２】
時刻ｔ１１において、回線品質推定部１０４が推定した回線品質は、ａ３以上で、且つａ４より悪いので、伝送方式決定部１０５は、１６ＱＡＭで信号を送信することを決定する。制御信号分割部１０８は、図５の表に従い、１６ＱＡＭに対応する低速制御信号「１」と高速制御信号「１０」を出力する。
【０１１３】
時刻ｔ１１と同様に時刻ｔ１２、ｔ１３、ｔ１４、ｔ１５において、制御信号分割部１０８は、図５の表に従い、１６ＱＡＭに対応する低速制御信号「１」と高速制御信号「１０」を出力する。
【０１１４】
時刻ｔ１６において、回線品質推定部１０４が推定した回線品質は、ａ４以上なので、伝送方式決定部１０５は、６４ＱＡＭで信号を送信することを決定する。制御信号分割部１０８は、図５の表に従い、６４ＱＡＭに対応する低速制御信号「１」と高速制御信号「１１」を出力する。
【０１１５】
時刻ｔ１６と同様に時刻ｔ１７において、制御信号分割部１０８は、図５の表に従い、６４ＱＡＭに対応する低速制御信号「１」と高速制御信号「１１」を出力する。
【０１１６】
このように、本実施の形態の通信装置は、低速制御信号のデータ量を少なくすることもできる。この場合、高速制御信号のデータ量が多くなる分、一つの低速制御信号でカバーできる伝送方式の種類が多くなるので、急激な通信回線品質の変化がある場合でも低速制御信号をあらためて送信することなく伝送方式を変更することができる。
【０１１７】
（実施の形態２）
図７は、本発明の実施の形態２に係る通信装置の構成を示すブロック図である。但し、図１と同一の構成となるものについては、図１と同一番号を付し、詳しい説明を省略する。
【０１１８】
図７の通信装置２００は、制御信号分割部２０１を具備し、伝送方式を複数のグループに分け、選択した伝送方式がどのグループ情報に含まれるかを判断し、グループ情報が変更する場合にグループ情報のみを送信し、グループの中から伝送方式を特定する情報を送信しない点が図１の通信装置と異なる。
【０１１９】
回線品質推定部１０４は、復調部１０３で分離された受信信号の品質推定値から回線品質を推定して伝送方式決定部１０５と制御信号分割部２０１に出力する。伝送方式決定部１０５は、回線品質から通信相手に送信する信号の伝送方式を決定してスイッチ１０６、スイッチ１０７、及び制御信号分割部２０１に出力する。
【０１２０】
制御信号分割部２０１は、伝送方式の情報を定期的に送信する高速制御信号と必要に応じて非定期的に送信する低速制御信号とに分割し、低速制御信号のみを変調部１１４に出力する。制御信号分割部２０１の詳細な動作は後述する。
【０１２１】
変調部１１４は、低速制御信号を変調して多重化部１１５に出力する。
【０１２２】
次に、本実施の形態に係る通信装置２００の動作について説明する。図８は、制御信号の送信例を示す図である。図８において、横軸は、時刻を表す。また、ａ１、ａ２、ａ３、ａ４は、それぞれ伝送方式決定部１０５が信号を送信する伝送方式を決定する場合の判断基準である。回線品質から変調方式を判断する動作は、上記実施の形態の動作と同じである。
【０１２３】
時刻ｔ１において、回線品質推定部１０４が推定した回線品質は、ａ１以上で、且つａ２より悪いので、伝送方式決定部１０５は、ＱＰＳＫで信号を送信することを決定する。制御信号分割部２０１は、図５の表に従い、ＱＰＳＫに対応する低速制御信号「０」を出力する。
【０１２４】
時刻ｔ２において、回線品質推定部１０４が推定した回線品質は、ａ１より悪いので、伝送方式決定部１０５は、ＢＰＳＫで信号を送信することを決定する。制御信号分割部２０１は、図５の表に従い、ＢＰＳＫに対応する低速制御信号「０」を出力する。
【０１２５】
時刻ｔ２と同様に時刻ｔ３、ｔ４において、制御信号分割部２０１は、図５の表に従い、ＢＰＳＫに対応する低速制御信号「０」を出力する。
【０１２６】
時刻ｔ１と同様に時刻ｔ５、ｔ６、ｔ７において、制御信号分割部２０１は、図５の表に従い、ＱＰＳＫに対応する低速制御信号「０」を出力する。
【０１２７】
時刻ｔ８において、回線品質推定部１０４が推定した回線品質は、ａ２以上で、且つａ３より悪いので、伝送方式決定部１０５は、８ＰＳＫで信号を送信することを決定する。制御信号分割部２０１は、図５の表に従い、８ＰＳＫに対応する低速制御信号「０」を出力する。
【０１２８】
時刻ｔ８と同様に時刻ｔ９において、制御信号分割部２０１は、図５の表に従い、８ＰＳＫに対応する低速制御信号「０」を出力する。
【０１２９】
時刻ｔ１０において、回線品質推定部１０４が推定した回線品質は、ａ２以上で、且つａ３より悪いので、伝送方式決定部１０５は、８ＰＳＫで信号を送信することを決定する。制御信号分割部２０１は、回線品質が良くなり、変調方式を８ＰＳＫからＱＳＰＫに変更する確率より、８ＰＳＫから１６ＱＡＭに変更する確率が高いと判断する。そして、制御信号分割部２０１は、図５の表に従い、ＱＰＳＫ、８ＰＳＫ、１６ＱＡＭ及び６４ＱＡＭに対応する低速制御信号「１」を出力する。
【０１３０】
時刻ｔ１１において、回線品質推定部１０４が推定した回線品質は、ａ３以上で、且つａ４より悪いので、伝送方式決定部１０５は、１６ＱＡＭで信号を送信することを決定する。制御信号分割部２０１は、図５の表に従い、１６ＱＡＭに対応する低速制御信号「１」を出力する。
【０１３１】
時刻ｔ１１と同様に時刻ｔ１２、ｔ１３、ｔ１４、ｔ１５において、制御信号分割部２０１は、図５の表に従い、１６ＱＡＭに対応する低速制御信号「１」を出力する。
【０１３２】
時刻ｔ１６において、回線品質推定部１０４が推定した回線品質は、ａ４以上なので、伝送方式決定部１０５は、６４ＱＡＭで信号を送信することを決定する。制御信号分割部２０１は、図５の表に従い、６４ＱＡＭに対応する低速制御信号「１」を出力する。
【０１３３】
時刻ｔ１６と同様に時刻ｔ１７において、制御信号分割部２０１は、図５の表に従い、６４ＱＡＭに対応する低速制御信号「１」を出力する。
【０１３４】
このように、本実施の形態の通信装置によれば、伝送方式を複数のグループに分け、選択した伝送方式がどのグループ情報に含まれるかを判断し、グループ情報が変更する場合にグループ情報を送信することにより、受信側において、グループ情報から示される複数の伝送方式についてのみシンボルパターンと受信信号のシンボルパターンを比較して伝送方式を推定することにより、推定する伝送方式の候補が少なくなるので、推定が誤る可能性が低減される。また、推定に必要な演算量を減少させることもできる。
【０１３５】
次に、通信装置２００が送信した無線信号を受信する通信装置について説明する。図９は、上記実施の形態に係る通信装置の構成を示すブロック図である。但し、図４と同一の構成となるものについては、図４と同一番号を付し、詳しい説明を省略する。
【０１３６】
図９の通信装置２５０は、制御信号抽出部２５１と、スイッチ２５２と、スイッチ２５３と、スイッチ２５４と、スイッチ２５５と、ＢＰＳＫ判定部２５６と、ＱＰＳＫ判定部２５７と、８ＰＳＫ判定部２５８と、１６ＱＡＭ判定部２５９と、６４ＱＡＭ判定部２６０と、比較部２６１とを具備し、受信信号の変調方式を推定して復調する点が図４の通信装置と異なる。
【０１３７】
無線受信部１５２は、アンテナを介して無線信号を受信し、所定の無線処理を行い、得られた受信信号をスイッチ１５５、制御信号抽出部２５１、スイッチ２５２、スイッチ２５３、ＱＰＳＫ判定部２５７、８ＰＳＫ判定部２５８、及び１６ＱＡＭ判定部２５９に出力する。
【０１３８】
制御信号抽出部２５１は受信信号から低速制御信号を取り出して使用されうる伝送方式を判断し、伝送方式がＢＰＳＫ、ＱＰＳＫ、８ＰＳＫ、１６ＱＡＭのいずれかである場合、スイッチ２５２と、スイッチ２５４の回路を接続し、スイッチ２５３と、スイッチ２５５の回路を切断する。
【０１３９】
また、伝送方式がＱＰＳＫ、８ＰＳＫ、１６ＱＡＭ、６４ＱＡＭのいずれかである場合、スイッチ２５２と、スイッチ２５４の回路を切断し、スイッチ２５３と、スイッチ２５５の回路を接続する。
【０１４０】
ＢＰＳＫ判定部２５６は、受信信号のシンボルパターンの位相分布または振幅分布を求め、これらの分布がＢＰＳＫシンボルパターンの分布と一致するかどうか判断し、判断結果を比較部２６１に出力する。ＱＰＳＫ判定部２５７は、受信信号のシンボルパターンの位相分布または振幅分布を求め、これらの分布がＱＰＳＫシンボルパターンの分布と一致するかどうか判断し、判断結果を比較部２６１に出力する。８ＰＳＫ判定部２５８は、受信信号のシンボルパターンの位相分布または振幅分布を求め、これらの分布が８ＰＳＫシンボルパターンの分布と一致するかどうか判断し、判断結果を比較部２６１に出力する。
【０１４１】
１６ＱＡＭ判定部２５９は、受信信号のシンボルパターンの位相分布または振幅分布を求め、これらの分布が１６ＱＡＭシンボルパターンの分布と一致するかどうか判断し、判断結果を比較部２６１に出力する。６４ＱＡＭ判定部２６０は、受信信号のシンボルパターンの位相分布または振幅分布を求め、これらの分布が６４ＱＡＭシンボルパターンの分布と一致するかどうか判断し、判断結果を比較部２６１に出力する。
【０１４２】
比較部２６１は、ＢＰＳＫ判定部２５６、ＱＰＳＫ判定部２５７、８ＰＳＫ判定部２５８、１６ＱＡＭ判定部２５９、及び６４ＱＡＭ判定部２６０から出力された判断結果を比較して、受信信号シンボルパターンの分布が各変調方式のシンボルパターンと最も一致する結果から変調方式を推定する。そして、比較部２６１は、変調方式の推定結果からスイッチ１５５と、スイッチ１５８の切り替えを行う。
【０１４３】
このように、本実施の形態の通信装置によれば、伝送方式が含まれるグループ情報を受信して、グループ情報から示される複数の伝送方式についてのみシンボルパターンと受信信号のシンボルパターンを比較して伝送方式を推定することにより、推定する伝送方式の候補が少なくなるので、推定が誤る可能性が低減される。また、推定に必要な演算量を減少させることもできる。
【０１４４】
例えば、変調方式にＢＳＰＫ、ＱＰＳＫ、８ＰＳＫ、１６ＱＡＭ、及び６４ＱＡＭのいずれかを用いて信号を送信する場合に、低速制御信号を送信して、変調方式をＢＳＰＫ、ＱＰＳＫ、８ＰＳＫ、１６ＱＡＭに特定することにより、受信側の通信装置において、１６ＱＡＭを６４ＱＡＭに誤って推定することを防ぐ。
【０１４５】
また、低速制御信号を送信して、変調方式をＱＰＳＫ、８ＰＳＫ、１６ＱＡＭ、６４ＱＡＭに特定することにより、受信側の通信装置において、ＱＰＳＫをＢＰＳＫに誤って推定することを防ぐ。
【０１４７】
また、本発明の通信装置は、基地局装置及び通信端末装置に具備し運用することもできる。
【０１４８】
【発明の効果】
以上説明したように、本発明の通信装置及び伝送方式選択方法によれば、複数の伝送方式から選択する通信方式において、伝送方式の指示を行う制御信号の通信量を低減する
【図面の簡単な説明】
【図１】本発明の実施の形態１に係る通信装置の構成を示すブロック図
【図２】伝送方式と制御信号の対応表を示す図
【図３】制御信号の送信例を示す図
【図４】上記実施の形態に係る通信装置の構成を示すブロック図
【図５】伝送方式と制御信号の対応表を示す図
【図６】制御信号の送信例を示す図
【図７】本発明の実施の形態２に係る通信装置の構成を示すブロック図
【図８】制御信号の送信例を示す図
【図９】上記実施の形態に係る通信装置の構成を示すブロック図
【図１０】従来の通信装置を示す図
【図１１】従来の通信装置を示す図
【図１２】伝送方式と制御信号の対応表を示す図
【図１３】制御信号の送信例を示す図
【図１４】ブラインドモードを用いる従来の通信装置の構成を示すブロック図
【符号の説明】
１０３  復調部
１０４  回線品質推定部
１０５  伝送方式決定部
１０６、１０７、１５５、１５８、２５２、２５３、２５４、２５５  スイッチ
１０８、２０１  制御信号分割部
１０９  ＢＰＳＫ変調部
１１０  ＱＰＳＫ変調部
１１１  ８ＰＳＫ変調部
１１２  １６ＱＡＭ変調部
１１３  ６４ＱＡＭ変調部
１５３  制御信号分離部
１５４  高速／低速分離部
１５６  記憶部
１５７  加算部
１５９  ＢＰＳＫ復調部
１６０  ＱＰＳＫ復調部
１６１  ８ＰＳＫ復調部
１６２  １６ＱＡＭ復調部
１６３  ６４ＱＡＭ復調部
１６４  受信品質推定部
２５１  制御信号抽出部
２５６  ＢＰＳＫ判定部
２５７  ＱＰＳＫ判定部
２５８  ８ＰＳＫ判定部
２５９  １６ＱＡＭ判定部
２６０  ６４ＱＡＭ判定部
２６１  比較部
【図１】
0003589992.tif 000002
【図２】
0003589992.tif 000003
【図３】
0003589992.tif 000004
【図４】
0003589992.tif 000005
【図５】
0003589992.tif 000006
【図６】
0003589992.tif 000007
【図７】
0003589992.tif 000008
【図８】
0003589992.tif 000009
【図９】
0003589992.tif 000010
【図１０】
0003589992.tif 000011
【図１１】
0003589992.tif 000012
【図１２】
0003589992.tif 000013
【図１３】
0003589992.tif 000014
【図１４】
0003589992.tif 000015